(57)【要約】      （修正有）【課題】付着ダストを自動的に取り除き、手入れ時間を少なくできる静電気除去器放電針のダスト除去構造を提供する。【解決手段】一設置座２、第二設置座３、蓋板４、外ケース、ブラシ構造で構成する静電気除去器放電針のダスト除去構造であって、第二設置座と第一設置座を第一定置穴２１と第二定置穴３３を介して第一ネジ２２で螺設して結合し、他の第一定置穴２１に空気導入ネジ２３０を挿通する。第二設置座に、放電針３１と第二定置穴の１つに開口すると共に放電針を囲む溝３２を設け、その溝から放電針先端３１０に向けて第二空気排出穴３２０を設ける。第一設置座と第二設置座と蓋板を結合固定し、空気導入ネジを第一定置穴と第二定置穴と蓋板に通すことにより、空気導入ネジから導入された圧縮空気が溝のサークルを経由して第二空気排出穴より放電針の針先に噴出してダストを除去する。【選択図】図２
0003193274.tif 000002
【実用新案登録請求の範囲】
【請求項１】
第一設置座、第二設置座、蓋板、外ケース、ブラシ構造からなり、
上記第一設置座は、ファンを具え、第一設置座、第二設置座、蓋板を第一ネジで結合するための複数の第一定置穴を設ける共にその第一定置穴の一つを空気導入ネジの挿通穴とし、また、該空気導入ネジの一端に空気導入穴を設けてその中空部を経て他端の第一空気排出穴に連通させ、
上記第二設置座は、上記第一設置座の第一定置穴と対応する第二定置穴を設けて、その１側で第一設置座と第一ネジで螺設して結合し、
ファンに対する羽口と少なくとも二つの放電針を設けると共にその針先を羽口の中心向けて設置し、また、該羽口を囲む溝を設けて、該溝を上記第二定置穴の１つと連通すると共に放電針先端の位置と対応して第二空気排出穴を設け、
上記蓋板は、上記第二設置座の第二定置穴と対応する固定穴を設けて前記第一ネジを挿通すると共にナットで締結して、第二設置座の第二側に位置して結合した、
ことを特徴とする静電気除去器放電針のダスト除去構造。
【請求項２】
前記第一設置座に制御回路を設けたことを特徴とする請求項１記載の静電気除去器放電針のダスト除去構造。
【請求項３】
前記蓋板をガスケットを介して第二設置座と結合したことを特徴とする請求項１記載の静電気除去器放電針のダスト除去構造。
【請求項４】
前記第一設置座と蓋板の外縁に外ケースを設けたことを特徴とする請求項１記載の静電気除去器放電針のダスト除去構造。
【請求項５】
前記外ケースに前記羽口に対応する開口を設けたことを特徴とする請求項４記載の静電気除去器放電針のダスト除去構造。
【請求項６】
第一設置座、第二設置座、蓋板、外ケース、ブラシ構造からなり、
上記第一設置座は、ファンを具え、第一設置座、第二設置座、蓋板を第一ネジで結合するための複数の第一定置穴を設ける共にその第一定置穴の一つを空気導入ネジの挿通穴とし、また、該空気導入ネジの一端に空気導入穴を設けてその中空部を経て他端の第一空気排出穴に連通させ、
上記第二設置座は、上記第一設置座の第一定置穴と対応する第二定置穴を設けて、その１側で第一設置座と第一ネジで螺設して結合し、
ファンに対する羽口と少なくとも二つの放電針を設けると共にその針先を羽口の中心向けて設置し、また、該羽口を囲む溝を設けて、該溝を上記第二定置穴の１つと連通すると共に放電針先端の位置と対応して第二空気排出穴を設け、
上記蓋板は、上記第二設置座の第二定置穴と対応する固定穴を設けて前記第一ネジを挿通すると共にナットで締結して、第二設置座の第二側に位置して結合し、
上記外ケースは、外ケース本体及び上蓋を具え、
外ケース本体内に上記結合された第一設置座と第二設置座及び蓋板を収容して設置して、該外ケース本体に設けたネジ穴と該上蓋に設けた第二ネジにより上蓋を結合し、
更に、外ケース本体には、前記第二設置座の羽口と対応する開口を設け、
上記ブラシ構造は、先端にブラシを具えた二本のアームを設けたブラシ固定器、該ブラシ固定器のブラシを回動操作するツマミ具えたブラシ設置座からなり、該ブラシ固定器とブラシ設置座を組み合わせて、上記外ケースの開口にブラシ固定器を設置した、
ことを特徴とする静電気除去器放電針のダスト除去構造。
【請求項７】
前記第一設置座に制御回路を設けたことを特徴とする請求項６記載の静電気除去器放電針のダスト除去構造。
【請求項８】
前記蓋板にガスケットを設けたことを特徴とする請求項６記載の静電気除去器放電針のダスト除去構造。
【考案の詳細な説明】
【技術分野】
【０００１】
本考案は、静電気除去器放電針のダスト除去構造に関し、特に自動的に放電針に付着したダストを取り除くことができ、人力コストを減少できる静電気除去器放電針のダスト除去構造に関する。
【背景技術】
【０００２】
一般的な静電気除去器１は図１に示すように、静電気除去器１に気体吹き出し口１３を設け、該気体吹き出し口内にファン１１を設けて、更に、該気体吹き出し口１３に少なくとも二本の放電針１０を設ける。該放電針１０はそれぞれ正と負に帯電することができ、放電針１０に正のパルス状高電圧と負のパルス状高電圧を交互に印加すると、二本の放電針１０の間にコロナ放電が生じることで、交互に正と負のイオンが発生する。また、ファン１１を介して正負イオンを気体の吹き出し口１３から噴出すると、放電針で発生した正負イオンを工作物に飛ばし、静電気除去の効果に達する。
【０００３】
一般の静電気除去器１は、静電気を除去する効果はあるが、該正負の放電針１０は簡単に空気中のチリが付着してダストＡが発生しやすい。該放電針にダストＡが発生すると、往々にして放電性能が悪くなり、静電気を有効に取り除けなくなる。また、通常放電針１０のダストＡを取り除くには、外蓋１２を取り外した上で放電針１０を外すしかなく、クリーニング手入れの時間を費やすことになる。また、工場或いは静電気除去器１を使用する場所では、放電針のクリーニングと手入れを行う人手が別途必要となり、人力コストが増えるなどを鑑みて、更なる改善が必要であった。
【先行技術文献】
【特許文献】
【０００４】
【特許文献１】特開２００９−３０１８５号公報
【考案の概要】
【考案が解決しようとする課題】
【０００５】
公知構造の「静電気除去器」の針先にダストが付着するために針先の放電性能が悪くなった際に、針先についたダストを取り除くには放電針を取り外さなくては手入れができず、クリーニング手入れの時間を費やすことが必要となる。また別途スタッフを該放電針のクリーニングに当てなければならないため、人力コストが増える欠点を解決するべく、本考案は、静電気除去器放電針のダスト除去構造を提供することを主な課題とする。放電針に付着したダストを自動的に取り除き、クリーニング手入れの時間を少なくすると同時に人力コストが増えるのを押さえることができる。
【課題を解決するための手段】
【０００６】
上述の目的を解決するために、本考案は静電気除去器放電針のダスト除去構造を提供するものである。
【０００７】
本考案は、第一設置座、第二設置座、蓋板、外ケース、ブラシ構造からなる。該第一設置座にファンを設置し、更に第一定置穴を設け、該第一定置穴に第一ネジを設ける。該第一定置穴に空気導入ネジを設け、該空気導入ネジの一端に空気導入穴を設け、更に該空気導入ネジに中空部を設ける。該空気導入穴と中空部は互いに貫通する。また、該空気導入ネジの別端に第一空気排出穴を設け、該第一空気排出穴と中空部は互いに貫通する。
【０００８】
第二設置座は第一設置座と螺設して結合し、また、該第一設置座は第二設置座の第一側に位置する。該第二設置座に一つの羽口と少なくとも二つの放電針を設ける。該放電針に針先を設け、更に該放電針の位置を羽口の中心に設置し、針先を外向けに設置する。また該第二設置座に第一定置穴と対応する第二定置穴を設け、該第二設置座に羽口を囲む溝を設け、該溝は一つの第二定置穴と連通する。また、該溝に放電針の位置と対応する第二空気排出穴を設ける。
【０００９】
蓋板は第二設置座と螺設結合する。該蓋板は第二設置座の第二側に位置し、第二定置穴と対応する固定穴を設ける。また該蓋板にナットを設ける。
【００１０】
外ケース内に第一設置座と第二設置座及び蓋板がスライドして収容できるように設置する。更に該外ケース本体に第二設置座の羽口と対応する穴を設ける。該外ケースに上蓋を設ける。
【００１１】
その中、第一ネジを第一定置穴と第二定置穴と固定穴に通してからナットで第一ネジと螺設すれば、第一設置座と第二設置座と蓋板を結合して固定できる。空気導入ネジを第一定置穴に通し、更に溝と連通する第二定置穴と蓋板に通すと、本考案の第二設置座内で一つのサークル状に貫通する溝を形成する。更に空気導入ネジより圧縮空気が入り、溝に設けた放電針の針先と対応する第二空気排出穴より、圧縮空気が放電針の針先に向けて空気を噴出することにより、自動的に針先に発生したダストを取り除く目的に達する。
【考案の効果】
【００１２】
本考案の構造により、空気導入ネジより圧縮空気が入り、溝の第二空気排出穴より放電針の針先に向けて空気を噴出すると、自動的に針先に発生したダストを取り除く目的に達して放電針に発生したダストを取り除き、クリーニング手入れの時間を少なくすると同時に人力コストが増えるのを押さえることができる。
【図面の簡単な説明】
【００１３】
【図１】従来技術の組合せ略図である。
【図２】本考案の分解略図である。
【図３】本考案の組合せ略図である。
【図４】本考案の圧縮空気が空気導入ネジから溝に入る動作略図である。
【図５】本考案の圧縮空気が空気導入ネジから溝に入る動作側視図である。
【図６】本考案の圧縮空気が溝内で流れる動作略図である。
【図７】本考案の第二実施例の分解略図である。
【図８】本考案の第二実施例の組合せ略図である。
【図９】本考案のブラシ構造と放電針が動く前の略図である。
【図１０】本考案のブラシ構造と放電針が動いた後の略図である。
【考案を実施するための形態】
【００１４】
以下、本考案の構造と特徴および効果を、最良実施例と図面を参照しながら詳細に説明する。
【実施例１】
【００１５】
図２に示すように、本考案は静電気除去器放電針のダスト除去構造を提供するものである。
【００１６】
本考案は、第一設置座２、第二設置座３、蓋板４、外ケース５、ブラシ構造６からなる。該第一設置座２にファン２０を設置し、更に第一定置穴２１を設け、該第一定置穴２１に第一ネジ２２を設ける。本実施例では、該第一定置穴２１の数は四つであり、また該第一ネジ２２の数は三つである。該第一定置穴２１に別途、空気導入ネジ２３を設け、該空気導入ネジ２３の一端に一つの空気導入穴２３０を設け、更に、該空気導入ネジ２３に中空部２３１を設ける。該空気導入穴２３０と中空部２３１は互いに貫通する。また、該空気導入ネジ２３の他端に第一空気排出穴２３２を設け、該第一空気排出穴２３２と中空部２３１と空気導入穴２３０は互いに貫通する。  また、該第一設置座２に制御回路２４を設け、該制御回路２４はファン２０に電気を供給する。
【００１７】
第二設置座３は、第一設置座２と螺設して結合し、また、該第一設置座２は第二設置座３の第一側に位置する。該第二設置座３にファンの羽口３０と二以上の放電針３１を設ける。該放電針３１に針先３１０を設け、更に該放電針３１を羽口３０の中心に設置して針先３１０を外向けに設置する。
また、該第二設置座３に第一設置座２の第一定置穴２１と対応する第二定置穴３３を設け、該第二設置座３に羽口３０を囲む溝３２を設け、該溝３２は一つの第二定置穴３３と連通する。また、該溝３２に放電針３１の位置と対応する少なくとも二つの第二空気排出穴３２０を設ける。本実施例では該第二定置穴３３の数は四つであり、該放電針３１の数は六つで放射線状に羽口３０の中心に設置する。該第二空気排出穴３２０の数は六つであり、それぞれ該放電針３１の針先３１０に対応する。
【００１８】
蓋板４は、第二設置座３と螺設結合する。該蓋板４は第二設置座３の第二側に位置し、第二定置穴３３と対応する固定穴４０を設ける。また該蓋板４にナット４１を設ける。本実施例では該固定穴４０の数は四つ、該ナット４１の数も四つである。該蓋板４にガスケット４２を設け、該ガスケット４２は第二設置座３と蓋板４の間に設置して溝３２と蓋板４をしっかり結合する役割を持つ。
【００１９】
外ケース５内に第一設置座と第二設置座及び蓋板をスライドして収容できるように設置する（図７参照）。
また、該外ケース５に外ケース本体５０を設け、該外ケース本体５０にはネジ穴５３を設け、更に該外ケース本体５０に第二設置座３の羽口３０と対応する開口５４を設ける。該外ケース５に上蓋５１を設け、該上蓋５１には上記外ケース本体５０のネジ穴５３と対応する第二ネジ５２を設ける。本実施例では、該ネジ穴５３の数は二つであり、該第二ネジ５２の数は二つである。
【００２０】
ブラシ構造６は、ブラシ固定器６０を設けて外ケース５の開口５４に設置する。該ブラシ固定器に二本のアーム６０２を設け、該二本のアーム６０２の一端にブラシ６０１を設ける。また、該ブラシ構造６に対してブラシ設置座６１を設け、該ブラシ設置座６１はブラシ固定器６０と組み立てる。また、該ブラシ設置座６１にツマミ６２を設け、該ツマミ６２はブラシ固定器６０と結合する。具体的には、該ブラシ設置座６１はブラシ固定器６０とツマミ６２の間に位置する（図７参照）。
【００２１】
図２に示すように、ファン２０を第一設置座２に設置し、更に放電針３１を第二設置座３の羽口３０の中心に設置して針先３１０を外向けに設置する。第一ネジ２２を第一設置座２の第一定置穴２１と、第二設置座３の第二定置穴３３と、蓋板４の固定穴４０に通してからナット４１で第一ネジ２２と螺設すれば、第一設置座２と第二設置座３と蓋板４を結合して固定できる。
更に具体的に、該第二設置座３は第一設置座２と蓋板４の間に位置する。そこで、ユーザーが放電針３１の針先３１０を掃除するとき、空気導入ネジ２３を第一設置座２の第一定置穴２１に通し、更に第二設置座３の溝３２と連通する第二定置穴３３と蓋板４の固定穴４０に通し、空気導入ネジ２３の第一空気排出穴２３２を溝３２内で露出にさせ、更にナット４１によって空気導入ネジ２３と互いに螺設する。更に具体的に、該蓋板４は第二設置座３とナット４１の間に位置する。このように本考案は第二設置座３内で一つのサークル状に貫通する溝３２を形成する。
図４及び図５に示すように、空気導入ネジ２３の空気導入穴２３０から圧縮空気を入れ、空気導入ネジ２３の中空部２３１と第一空気排出穴２３２が貫通していることにより、該圧縮空気は中空部２３１を通じて第一空気排出穴２３２から溝内３２に流れる。図６に示すように、該溝３２に放電針３１の針先３１０に対応する第二空気排出穴３２０を設けることにより、圧縮空気が放電針３１の針先３１０に向けて空気を噴出することにより、自動的にダストを取り除く目的に達し、人力コストを下げる効果が得られる。
【００２２】
図７に示すように、本考案は更に外ケース５を設け、該外ケース５は外ケース本体５０を設けることで、第一設置座２と第二設置座３と蓋板４を結合した後に外ケース本体５０内にスライドして収容できるように設置する。上蓋５１の第二ネジ５２を外ケース本体５０のネジ穴５３で螺設し、更に外ケース本体５０に開口５４を設けることで、外ケース５は第一設置座２と第二設置座３と蓋板４を覆うことができ、チリ或いは水が入るのを防止することができるために、第一設置座２と第二設置座３と蓋板４を守る効果に達する。
ユーザーが手動で放電針３１の針先３１０を掃除することが必要な場合、図８に示すように、本考案のブラシ構造６を開口５４と結合し、ブラシ６０１の位置は放電針３１の針先３１０の位置と同じであるため、図９に示すように、ブラシ構造６のツマミを回すことでブラシ固定器６０のブラシ６０１が動く。ブラシ６０１と針先３１０が接触するため、針先３１０にできたダストがブラシ６０１によって落とされる。このように手動で掃除することができ、使用時の便利性を高める。
【符号の説明】
【００２３】
１  静電気除去器
１０  放電針
１１  ファン
１２  外蓋
１３  気体吹き出し口
Ａ  ダスト
２  第一設置座
２０  ファン
２１  第一定置穴
２２  第一ネジ
２３  空気導入ネジ
２３０  空気導入穴
２３１  中空部
２３２  第一空気排出穴
２４  制御回路
３  第二設置座
３９  羽口
３１  放電針
３１０  針先
３２  溝
３２０  第二空気排出穴
３３  第二定置穴
４  蓋板
４０  固定穴
４１  ナット
４２  ガスケット
５  外ケース
５０  外ケース本体
５１  上蓋
５２  第二ネジ
５３  ネジ穴
５４  ファンの羽口に対応する開口
６  ブラシ構造
６０  ブラシ固定器
６０１  ブラシ
６０２  アーム
６１  ブラシ設置座
６２  ツマミ
【図１】
0003193274.tif 000003
【図２】
0003193274.tif 000004
【図３】
0003193274.tif 000005
【図４】
0003193274.tif 000006
【図５】
0003193274.tif 000007
【図６】
0003193274.tif 000008
【図７】
0003193274.tif 000009
【図８】
0003193274.tif 000010
【図９】
0003193274.tif 000011
【図１０】
0003193274.tif 000012